(57)【特許請求の範囲】
【請求項１】
ユニット本体内に熱交換器と送風機を収容し、ユニット本体内に室内空気を吸込んで上記熱交換器と熱交換させ、上記送風機を介して室内へ吹出す空気調和機の室内ユニットにおいて、
上記熱交換器の空気吸込み側に配置される電気集塵機を備え、ユニット本体内に吸込まれる室内空気から塵・埃・水蒸気などの不純物を除去して清浄化する空気清浄手段と、
上記電気集塵機を通過したあとの清浄化された空気が通る上記送風機の吹出し送風路中に配置され、吹出し送風路に沿ってマイナスイオンを放射し清浄化された空気とともにマイナスイオンを室内に供給するマイナスイオン発生手段と、
上記熱交換器と、上記電気集塵機および、上記マイナスイオン発生手段を制御する制御手段とを具備し、
上記電気集塵機は、
イオン化線で構成される放電電極および、対向電極との間に直流の高電圧を印加してコロナ放電を起させ、塵・埃をイオン化するプラス電位の荷電電極と、
この荷電電極の送風下流側に配置され、片面に導電極を設けたシートを間隙を存して積層するコルゲート電極であって、イオン化された塵・埃を吸引するマイナス電位の集塵電極とから構成され、
上記マイナスイオン発生手段は、
高電圧が印加される電極板および、この電極板の側面に一体に突設され先端からマイナスイオンを放射する針状電極とからなるマイナスイオン発生電極と、
このマイナスイオン発生電極を収容しかつ保護する保護用容器と、
この保護用容器に接続され上記針状電極との電位差を大きくとるためのアース端子とを備え、
上記電極板から突出する針状電極は、先端を送風上流側から送風下流側に向けて配置され、上記アース端子は針状電極の送風下流側に取付けられ、
上記制御手段は、
上記熱交換器による熱交換作用と、上記空気清浄手段による空気清浄作用および、上記マイナスイオン発生手段によるマイナスイオン発生作用を、連動して制御する
ことを特徴とする空気調和機の室内ユニット。
【発明の詳細な説明】
【０００１】
【発明の属する技術分野】
本発明は、室外ユニットと室内ユニットから構成される空気調和機における、室内ユニットに関する。
【０００２】
【従来の技術】
空気調和機の室内ユニットは、ユニット本体内に熱交換器と送風機を収容し、送風機の作動によりユニット本体内に室内空気を吸込んで上記熱交換器を通過させて熱交換し、さらに送風機を介して室内へ吹出す。
【０００３】
このような室内空気に対する熱交換作用ばかりでなく、付加価値として、近時室内空気に含まれる塵・埃・水蒸気などの不純物を除去して清浄化する室内ユニットが提供されている。
【０００４】
すなわち、室内空気中にはごく微細な塵・埃が浮遊していて、これらを吸引しても人体には無害であるが抵抗力の弱っている場合には影響が出ないとも限らない。また、空気中に含まれる水蒸気は、備品や壁などに付着してカビの発生原因になるので、これら塵・埃・水蒸気の除去は極めて有効な条件である。
【０００５】
一方、実開昭６２−１２４４２１号や特開平１１−７２２４０号には、マイナスイオン発生器を組み込んだ空気調和機が開示されていて、室内にマイナスイオンを直接、もしくは熱交換した空気とともに供給する。このマイナスイオンは、人体に吸収されることによって細胞組織の活性化を図り、老廃物の排出を促進して新陳代謝を良好化することが知られている。
【０００６】
【発明が解決しようとする課題】
しかしながら、上記公報ではマイナスイオン発生器の電極部を送風路の近傍もしくは送風路中に配置することのみしか記載されておらず、その詳細は不明である。
【０００７】
単純にマイナスイオンを発生して室内に供給しただけでは、空気中に含まれる塵・埃・水蒸気によって影響を受け易く、送風路中に位置すると発生量に限界があって、発生効率が悪いものである。
【０００８】
本発明は上記事情に着目してなされたものであり、その目的とするところは、熱交換器と送風機を備えるとともに、空気清浄手段とマイナスイオン発生手段の両方を備えることを前提として、各手段の配置位置を限定することにより、効率のよい空気清浄化とマイナスイオン供給が行える空気調和機の室内ユニットを提供しようとするものである。
【０００９】
【課題を解決するための手段】
上記目的を満足するため本発明は、ユニット本体内に熱交換器と送風機を収容し、ユニット本体内に室内空気を吸込んで上記熱交換器と熱交換させ、上記送風機を介して室内へ吹出す空気調和機の室内ユニットにおいて、上記熱交換器の空気吸込み側に配置される電気集塵機を備えユニット本体内に吸込まれる室内空気から塵・埃・水蒸気などの不純物を除去して清浄化する空気清浄手段と、電気集塵機を通過したあとの清浄化された空気が通る送風機の吹出し送風路中に配置され吹出し送風路に沿ってマイナスイオンを放射し清浄化された空気とともにマイナスイオンを室内に供給するマイナスイオン発生手段と、熱交換器と電気集塵機およびマイナスイオン発生手段を制御する制御手段とを具備し、
上記電気集塵機は、イオン化線で構成される放電電極および対向電極との間に直流の高電圧を印加してコロナ放電を起させ塵・埃をイオン化するプラス電位の荷電電極と、この荷電電極の送風下流側に配置され片面に導電極を設けたシートを間隙を存して積層するコルゲート電極であってイオン化された塵・埃を吸引するマイナス電位の集塵電極とから構成され、
上記マイナスイオン発生手段は、高電圧が印加される電極板および電極板側面に一体に突設され先端からマイナスイオンを放射する針状電極とからなるマイナスイオン発生電極と、マイナスイオン発生電極を収容しかつ保護する保護用容器と、保護用容器に接続され針状電極との電位差を大きくとるためのアース端子とを備え、電極板から突出する針状電極は先端を送風上流側から送風下流側に向けて配置され、アース端子は針状電極の送風下流側に取付けられ、
上記制御手段は、熱交換器による熱交換作用と、空気清浄手段による空気清浄作用およびマイナスイオン発生手段によるマイナスイオン発生作用を連動して制御する。
【００１５】
以上の課題を解決する手段を採用することにより、空気清浄手段とマイナスイオン発生手段の配置位置が定まって、効率のよい空気清浄化とマイナスイオン供給が行える。
【００１６】
【発明の実施の形態】
以下、図面を参照して本発明の実施の形態について説明する。
図１に示すように、空気調和機の室内ユニットが構成される。
ユニット本体１は、前面パネル２と、上面パネル３と、両側部と背面部および底面部を一体に備えた後板４とからなり、横長の箱状に形成される。
【００１７】
ユニット本体１内には、側面視で略逆Ｖ字状に形成される室内熱交換器５が配置される。この室内熱交換器５は、前面側に位置する前側熱交換器部５ａと、背面側に位置する後側熱交換器部５ｂとから構成され、特に、後側熱交換器部５ｂの上面に沿って補助熱交換器５ｃが配置され、これらはパイプを介して直列に接続される。
【００１８】
前側熱交換器部５ａの下部には前ドレンパン６ａが配置され、後側熱交換器部５ｂの下部には後ドレンパン６ｂが配置される。これら前，後ドレンパン６ａ，６ｂは、上記後板４に一体に設けられる。
【００１９】
上記室内熱交換器５の内部位置である前側熱交換器部５ａと後側熱交換器部５ｂとの間に、横流ファンを備えた室内送風機７が配置される。上記後板４は、後ドレンパン６ｂ下部である室内送風機７の背面側から底面部に亘って曲成され、上記前ドレンパン６ａ下面部およびその延長部分との間に送風路８が形成されている。
【００２０】
この送風路８の先端をなす前面パネル２の下部で、かつ幅方向に沿って吹出し口９が設けられる。この吹出し口９にはそれぞれ複数枚の縦・横ルーバーの組合わせからなり、吹出し口９からの風向きを自動的に変える風向案内部１０が設けられる。
【００２１】
一方、上記上面パネル３には、枠状に組まれた桟が嵌め込まれていて、この空間部は上部吸込み口１１として形成される。上記前面パネル２は、上部側と下部側の二段に亘って異なる構造の前部吸込み口１２ａ，１２ｂが設けられ、上端縁に沿って図示しないヒンジ構造を備えユニット本体１に対して開閉自在な吸込みグリルをなす。この前面パネル２は、室内熱交換器５の前側熱交換器部５ａと所定の間隙を存するように、断面がＲ状に形成されている。
【００２２】
上記前面パネル２の前部吸込み口１２ａと対向する前側熱交換器部５ａの前面側上部と近接した位置に、空気清浄手段である空気清浄機１３が配置される。すなわち、空気清浄機１３は前側熱交換器部５ａと前面パネル２との間の空間スペースに位置する。
【００２３】
この空気清浄機１３は、室内の塵・埃・水蒸気の除去を目的とした電気集塵機１３Ａと、室内の臭いの除去を目的とした図示しないハニカム活性炭構造の高性能脱臭フィルタとで構成され、互いに上記部位に左右に並べて配置される。
【００２４】
上記電気集塵機１３Ａについて詳述すると、図２（Ａ）に示すように、プラス電位の荷電電極（アイオナイザ部）１４と、マイナス電位の集塵電極（コレクタ部）１５とから構成されている。
【００２５】
上記荷電電極１４は、イオン化線と呼ばれる放電電極１４ａと対向電極１４ｂとの間に直流の高電圧を印加してコロナ放電を起させ、塵・埃の粒子をイオン化する。上記集塵電極１５は、片面側に導電極を設けたシート１５ａを積層し、交互に＋−の電荷を与えてシート間に発生するクーロン力でイオン化された塵・埃を吸引し、集塵するコルゲート電極である。
【００２６】
また、このような集塵作用にともなって各電極１４，１５からある程度の放熱があり、塵・埃とともに空気中に含まれる水蒸気は電気集塵機１３Ａを通過する際に蒸発することになる。
【００２７】
再び図１に示すように、上記電気集塵機１３Ａの下部側に把手部ａが一体に設けられていて、ユーザー側において吸込みグリルである前面パネル２を開放することにより自由にユニット本体１から脱着可能であり、特に集塵電極１５に付着した塵・埃を除去するメンテナンスができるようになっている。
【００２８】
さらに、上記電気集塵機１３Ａの把手部ａと、前側熱交換器部５ａの下部側前面および前面パネル２とで囲まれる空間部に、脱着自在にフィルタ１６が取付けられていていて、付着した塵・埃を除去するメンテナンスができるようになっている。
【００２９】
一方、上記送風路８にはマイナスイオン発生手段であるマイナスイオン発生装置１７が配置される。なお説明すれば、このマイナスイオン発生装置１７は、電気集塵機１３Ａを通過した空気が通る上記送風路８の前ドレンパン６ａ下面部に取付けられている。
【００３０】
図３に示すように、ユニット本体１を吹出し口９下部側から見上げた状態で、上記マイナスイオン発生装置１７の一部は吹出し口９の一側部から風向案内部１０を介して見える。また、ユニット本体１の側部には後述する制御手段である制御装置と各種の電気部品類を収容する電装部品箱１８が取付けられる。
【００３１】
再び図２(Ａ)に示すように、マイナスイオン発生装置１７の基本構成は、高電圧回路接続端子が接続され高電圧が印加される電極板２０および、この電極板２０の側面に一体に突設され先端からマイナスイオンを放射する針状電極２１とで構成されるマイナスイオン発生電極２２と、この発生電極２２を収容しかつ保護する保護用容器２３（一点鎖線で示す）からなる。
【００３２】
このマイナスイオン発生装置１７と、さきに説明した電気集塵機１３Ａと、室内熱交換器５の熱交換作用をなす図示しない圧縮機および室内送風機７など、全て上記制御装置３０と電気的に接続されていて、後述するような制御が行われるようになっている。
【００３３】
また、マイナスイオン発生装置１７において、より多量のマイナスイオンを放射させるためには、針状電極２１先端と、これら先端周辺との電位差を大きくとる必要がある。そこで、保護用容器２３の針状電極２１先端近傍部位にアース端子２４を取付けて、保護用容器２３をアース線２５を介して接地し針状電極２１先端との電位差を確保している。
【００３４】
たとえば、このマイナスイオン発生装置１７を先に説明した室内送風機７のごく近傍部位に配置すると、放出されたマイナスイオンは送風路８を形成するノーズやケーシングに吸収されてしまい、室内空間への放出量が大幅に減少する。そのため、発生装置１７を吹出し口９の近傍位置に配置し、風向案内部１０の縦横ルーバー間を介して放射させている。
【００３５】
また、電極板２０から突出する針状電極２１は、その先端を送風路８の送風上流側から下流側に向けて配置され、アース端子２４は針状電極２１の下流側に取付けられる。
【００３６】
たとえば、図２（Ｂ）に示すように、針状電極２１先端の向きを逆にし、これと対向してアース端子２４を送風上流側に取付けると、針状電極２１先端から放射されるマイナスイオンは送風に載ってほとんど電極板２０に吸収されてしまい室内空間への放出量が低下するので、この構成は採用されない。
【００３７】
このようにして構成される空気調和機の室内ユニットであり、図示しないリモコンの運転開始ボタンが押されると、制御装置３０は室内熱交換器５に対する冷凍サイクル運転と、室内送風機７の運転制御をなす。
【００３８】
室内空気は、ユニット本体１の前面パネル（吸込みグリル）２と上面パネル３の吸込み口１２ａ，１２ｂ，１１からユニット本体１内に吸込まれる。特に、前部吸込み口１２ａから吸込まれる室内空気は直接的に電気集塵機１３Ａを通過し、室内空気に含まれる塵・埃・水蒸気が捕捉されて清浄化する。
【００３９】
清浄化した空気は室内熱交換器５に導かれて熱交換をなし、さらに室内送風機７を介して送風路８に案内され、吹出し口９から室内空間に吹出される。この吹出し口９近傍においてマイナスイオン発生装置１７からマイナスイオンが放射され、室内空間に供給される。
【００４０】
吹出し口９から吹出される熱交換した清浄空気には、マイナスイオンを減衰する塵・埃・水蒸気が全く存在しないところから、発生装置１７から放射されるマイナスイオンは減衰することなく、そのまま室内に供給される。
【００４１】
このようにして、室内空気は以上の経路を循環し、室内ユニット内において電気集塵機１３Ａと、室内熱交換器５と、マイナスイオン発生装置１７に導かれることによって空気清浄化と、所望の空気調和と、人体に好影響を与えるマイナスイオンの供給が、ともに効率よくなされる。
【００４２】
これに加えて、室内熱交換器５の空気吸込み側に配置される空気清浄機１３は、プラス電位の荷電電極１４とマイナス電位の集塵電極１５とからなる電気集塵機１３Ａを備え、この下流側の送風路８中にマイナスイオン発生装置１７を配置した。
【００４３】
したがって、電気集塵機１３Ａを通過する空気中の塵・埃は荷電電極１４によってプラス荷電され、マイナス荷電された集塵電極１５に確実に吸着されるとともに中和されて、吹出し口９を介して室内へ放出される。
【００４４】
このとき、たとえわずかのプラス荷電された空気が活性酸素として残っていても、送風下流側においてマイナスイオン発生装置１７から放射されるマイナスイオンの一部によって中和されるため、電気集塵機１３Ａによる高い空気清浄効果と、効率のよいマイナスイオン発生がなされる相乗効果が得られる。
【００４５】
また、上記制御装置３０は、上記空気清浄機１３による空気清浄作用（すなわち、電気集塵機１３Ａによる集塵作用）と、上記マイナスイオン発生装置１７によるマイナスイオン発生作用を、連動して行うよう制御する。
【００４６】
マイナスイオンは塵・埃・水蒸気に吸収され易く、これらの存在によって大きく影響するが、マイナスイオン発生装置１７の運転中は空気清浄機１３の運転を常に同時に行うことで空気中の不純物を取除き、マイナスイオン発生の効率向上を得られる。
【００４７】
また、上記制御装置３０は、室内熱交換器５による熱交換作用と、空気清浄機１３による空気清浄作用と、マイナスイオン発生装置１７によるマイナスイオン発生作用を、連動して行うよう制御する。
【００４８】
マイナスイオンの発生量は塵・埃・水蒸気の存在によって大きく影響されることと、空気の湿度が低いほどマイナスイオンの発生量が多くなることが知られている。そこで、同時に空気調和運転を行って空気中の湿度を下げることにより、マイナスイオンの発生効率のさらなる向上が得られる。
【００４９】
また、上記制御装置３０は、空気清浄機１３である電気集塵機１３Ａの異常が検出されたときに、電気集塵機１３Ａとマイナスイオン発生装置１７の作用を停止するよう制御する。
【００５０】
マイナスイオンの発生量は塵・埃・水蒸気の存在によって大きく影響されるため、電気集塵機１３Ａが故障した場合はマイナスイオン発生装置１７でのマイナスイオン発生量が極端に低下して無駄な運転となる。したがって、電気集塵機１３Ａの異常を検知して停止させたら、マイナスイオン発生装置１７も連動して停止させ、効率の悪い運転継続を阻止する。
【００５１】
また、メンテナンス時などユニット本体１の前面パネル（吸込みグリル）２を開放すると、上記制御装置３０は電気集塵機１３Ａとマイナスイオン発生装置１７の運転を直ちに強制的に停止するよう制御する。
【００５２】
すなわち、前面パネル２を開放すれば電気集塵機１３Ａが露出する。ここには高圧電源が送られているから、安全のために通電を遮断する必要がある。一方、マイナスイオン発生装置１７にも高圧電源が送られているが、送風路８に配置されており前面パネル２の開閉に何ら係わり合いがない。したがって、マイナスイオン発生装置１７に対する接触の危険はないが、電気集塵機１３Ａの通電停止にともなって通電を遮断し、効率の悪い運転継続を阻止する。
【００５３】
【発明の効果】
以上説明したように本発明によれば、空気清浄手段とマイナスイオン発生手段の両方を備え、これら手段の配置位置を限定することにより、効率のよい空気清浄化とマイナスイオン供給が行えるという効果を奏する。
【図面の簡単な説明】
【図１】本発明の一実施の形態に係わる、空気調和機の室内ユニットの断面図。
【図２】同実施の形態に係わる、空気調和機の室内ユニットの内部に収容する構成部品とその作用を説明する図と採用しない構成を説明する図。
【図３】同実施の形態に係わる、空気調和機の室内ユニットの一部斜視図。
【符号の説明】
１…ユニット本体、
５…室内熱交換器、
７…室内送風機、
１３…空気清浄機、
１７…マイナスイオン発生装置、
１３Ａ…電気集塵機、
１４…荷電電極、
１５…集塵電極、
３０…制御装置、
２…前面パネル（吸込みグリル）。
【図１】
0004323018.tif 000002
【図２】
0004323018.tif 000003
【図３】
0004323018.tif 000004